【手続補正書】
【提出日】平成16年7月30日(2004.7.30)
【手続補正１】
【補正対象書類名】明細書
【補正対象項目名】特許請求の範囲
【補正方法】変更
【補正の内容】
【特許請求の範囲】
【請求項１】
現在位置を検出する現在位置検出手段と、
記録されている地図データをそれぞれ読み出し可能な複数の記憶手段と、
地図データを用いて前記現在位置に応じたナビゲーション動作を制御するナビゲーション制御手段と、
所定の条件に従って前記複数の記憶手段の中から選択された記憶手段にアクセスし、ナビゲーション動作に必要な地図データを読み出す地図データ読み出し手段と、
を備えることを特徴とするナビゲーションシステム。
【請求項２】
前記地図データ読み出し手段は、アクセスすべき記憶手段として、予め設定された優先フラグによって示される特定の記憶手段を選択することを特徴とする請求項１に記載のナビゲーションシステム。
【請求項３】
前記地図データ読み出し手段は、アクセスすべき記憶手段として、最新の日時に更新された地図データを読み出し可能な記憶手段を選択することを特徴とする請求項１に記載のナビゲーションシステム。
【請求項４】
前記地図データ読み出し手段は、前記複数の記憶手段における地図データの管理情報に基づいて、アクセスすべき記憶手段を選択することを特徴とする請求項１に記載のナビゲーションシステム。
【請求項５】
前記複数の記憶手段から前記管理情報を抽出して、それぞれの該管理情報を統合的に保持する管理情報記憶手段を更に備えることを特徴とする請求項４に記載のナビゲーションシステム。
【請求項６】
前記管理情報記憶手段には、地図データの名称を示す名称情報が保持され、
前記地図データ読み出し手段は、アクセスすべき記憶手段として、前記名称情報に基づいて地図データの存在が確認された特定の記憶手段を選択することを特徴とする請求項５に記載のナビゲーションシステム。
【請求項７】
前記管理情報記憶手段には、地図データが更新された日時を示す日時情報が保持され、
前記地図データ読み出し手段は、アクセスすべき記憶手段として、最新の日時の前記日時情報に対応する地図データを読み出し可能な記憶手段を選択することを特徴とする請求項５に記載のナビゲーションシステム。
【請求項８】
前記複数の記憶手段における地図データの管理情報を抽出し、各管理情報の間の相違を示す差分管理情報を保持する差分管理情報記憶手段を更に備え、
前記地図データ読み出し手段は、アクセスすべき記憶手段を前記差分管理情報に基づいて選択することを特徴とする請求項１に記載のナビゲーションシステム。
【請求項９】
現在位置を検出する現在位置検出手段と、
地図データが記録された記録媒体から該地図データを読み出し可能な第１記憶手段と、
地図データの書き込みと読み出しが可能な不揮発性の第２記憶手段と、
地図データを用いて前記現在位置に応じたナビゲーション動作を制御するナビゲーション制御手段と、
所定のタイミングで地図データを前記第１記憶手段により前記記録媒体から読み出し、前記第２記憶手段に転送して格納する地図データ転送手段と、
所定の条件に従って前記第１記憶手段と前記第２記憶手段の一方を選択してアクセスし、ナビゲーション動作に必要な地図データを読み出す地図データ読み出し手段と、
を備えることを特徴とするナビゲーションシステム。
【請求項１０】
前記第１記憶手段における地図データの管理情報と前記第２記憶手段における地図データの管理情報を抽出して、それぞれの該管理情報を統合的に保持する管理情報記憶手段を更に備え、
前記地図データ転送手段は、転送対象の地図データを前記管理情報に基づいて選択し、前記地図データ読み出し手段は、前記第１記憶手段と前記第２記憶手段のいずれにアクセスするかを前記管理情報に基づいて選択することを特徴とする請求項９に記載のナビゲーションシステム。
【請求項１１】
前記管理情報記憶手段には、地図データの名称を示す名称情報が保持され、
前記地図データ転送手段は、前記第１記憶手段と前記第２記憶手段のそれぞれの地図データの前記名称情報を比較し、前記第２記憶手段に格納されていない地図データを転送対象として選択することを特徴とする請求項１０に記載のナビゲーションシステム。
【請求項１２】
前記管理情報記憶手段には、地図データが更新された日時を示す日時情報が保持され、
前記地図データ転送手段は、前記第１記憶手段と前記第２記憶手段のそれぞれの地図データの前記日時情報を比較し、前記第１記憶手段に比べ前記第２記憶手段の方が更新された日時が古い地図データを転送対象として選択することを特徴とする請求項１０に記載のナビゲーションシステム。
【請求項１３】
前記地図データ転送手段は、前記第１記憶手段に前記記録媒体が装着された際に地図データの転送を行うことを特徴とする請求項９に記載のナビゲーションシステム。
【請求項１４】
前記第２記憶手段は、前記第１記憶手段よりも高速なアクセス速度で地図データの書き込みと読み出しが可能であることを特徴とする請求項９に記載のナビゲーションシステム。
【請求項１５】
前記第２記憶手段は、ハードディスク装置であることを特徴とする請求項１４に記載のナビゲーションシステム。
【請求項１６】
前記記録媒体には、全体地図を分割した単位ブロック毎のブロック地図データが記録され、前記地図データ転送手段は、前記ブロック地図データを単位として転送を行うと共に、前記地図データ読み出し手段は、前記ブロック地図データを単位として読み出しを行うことを特徴とする請求項９に記載のナビゲーションシステム。
【請求項１７】
現在位置を検出する現在位置検出手段と、
地図データが記録された記録媒体から該地図データを読み出し可能な第１記憶手段と、
地図データの書き込みと読み出しが可能な不揮発性の第２記憶手段と、
地図データを用いて前記現在位置に応じたナビゲーション動作を制御するナビゲーション制御手段と、
所定のタイミングで前記第１記憶手段における地図データの管理情報と前記第２記憶手段における地図データの管理情報とを比較して、双方の管理情報の相違を示す差分管理情報を生成する差分管理情報生成手段と、
前記差分管理情報を保持する差分管理情報記憶手段と、
前記差分管理情報に基づいて前記第１記憶手段と前記第２記憶手段の一方を選択してアクセスし、ナビゲーション動作に必要な地図データを読み出す地図データ読み出し手段と、
を備えることを特徴とするナビゲーションシステム。
【手続補正２】
【補正対象書類名】明細書
【補正対象項目名】０００９
【補正方法】変更
【補正の内容】
【０００９】
【課題を解決するための手段】
上記課題を解決するために、請求項１に記載のナビゲーションシステムは、現在位置を検出する現在位置検出手段と、記録されている地図データをそれぞれ読み出し可能な複数の記憶手段と、地図データを用いて前記現在位置に応じたナビゲーション動作を制御するナビゲーション制御手段と、所定の条件に従って前記複数の記憶手段の中から選択された記憶手段にアクセスし、ナビゲーション動作に必要な地図データを読み出す地図データ読み出し手段とを備えることを特徴とする。
【手続補正３】
【補正対象書類名】明細書
【補正対象項目名】００１０
【補正方法】変更
【補正の内容】
【００１０】
この発明によれば、ナビゲーションシステムは、例えばＤＶＤ−ＲＯＭ等の光ディスクやハードディスクなど様々な記憶手段を複数備えており、それぞれから地図データを読み出すことができる。そして、現在位置検出手段により検出された現在位置に応じたナビゲーション動作を行うに際し、地図データ読み出し手段が所定の条件に従って複数の記憶手段の中から特定の記憶手段を選択し、これにアクセスして必要な地図データを読み出し、ナビゲーション動作の表示処理等に用いる。
【手続補正４】
【補正対象書類名】明細書
【補正対象項目名】００２６
【補正方法】変更
【補正の内容】
【００２６】
請求項９に記載のナビゲーションシステムは、現在位置を検出する現在位置検出手段と、地図データが記録された記録媒体から該地図データを読み出し可能な第１記憶手段と、地図データの書き込みと読み出しが可能な不揮発性の第２記憶手段と、地図データを用いて前記現在位置に応じたナビゲーション動作を制御するナビゲーション制御手段と、所定のタイミングで地図データを前記第１記憶手段により前記記録媒体から読み出し、前記第２記憶手段に転送して格納する地図データ転送手段と、所定の条件に従って前記第１記憶手段と前記第２記憶手段の一方を選択してアクセスし、ナビゲーション動作に必要な地図データを読み出す地図データ読み出し手段とを備えることを特徴とする。
【手続補正５】
【補正対象書類名】明細書
【補正対象項目名】００２７
【補正方法】変更
【補正の内容】
【００２７】
この発明によれば、ナビゲーションシステムは、例えばＤＶＤ−ＲＯＭ等の記録媒体を用いた第１記憶手段と、例えばハードディスク等の第２記憶手段を備えている。そして、所定のタイミングで第１記憶手段から地図データが読み出され、第２記憶手段に転送される。また、現在位置検出手段により検出された現在位置に応じたナビゲーション動作を行うに際し、所定の条件に従って第１記憶手段と第２記憶手段の一方を選択的にアクセスして必要な地図データを読み出し、ナビゲーション動作の表示処理等に用いる。
【手続補正６】
【補正対象書類名】明細書
【補正対象項目名】００４３
【補正方法】変更
【補正の内容】
【００４３】
請求項１７に記載のナビゲーションシステムは、現在位置を検出する現在位置検出手段と、地図データが記録された記録媒体から該地図データを読み出し可能な第１記憶手段と、地図データの書き込みと読み出しが可能な不揮発性の第２記憶手段と、地図データを用いて前記現在位置に応じたナビゲーション動作を制御するナビゲーション制御手段と、所定のタイミングで前記第１記憶手段における地図データの管理情報と前記第２記憶手段における地図データの管理情報とを比較して、双方の管理情報の相違を示す差分管理情報を生成する差分管理情報生成手段と、前記差分管理情報を保持する差分管理情報記憶手段と、前記差分管理情報に基づいて前記第１記憶手段と前記第２記憶手段の一方を選択してアクセスし、ナビゲーション動作に必要な地図データを読み出す地図データ読み出し手段と
を備えることを特徴とする。
【手続補正７】
【補正対象書類名】明細書
【補正対象項目名】００４４
【補正方法】変更
【補正の内容】
【００４４】
この発明によれば、ナビゲーションシステムは、請求項８に記載の発明と同様、第１記憶手段と第２記憶手段を備えている。そして、所定のタイミングで第１記憶手段と第２記憶手段のそれぞれの管理情報にアクセスし、両者を比べて差分管理情報を生成し、差分管理情報記憶手段に保持する。また、現在位置に応じたナビゲーション動作を行うに際して差分管理情報を読み出し、これにより第１記憶手段と第２記憶手段の一方を選択的にアクセスして必要な地図データを読み出し、ナビゲーション動作の表示処理等に用いる。